(57)【要約】      （修正有）【課題】３次元検出領域を形成することができるタッチ制御装置を提供する。【解決手段】枠体１０、複数の第１の発信器１０１１、複数の第１の受信器１０１２、複数の第２の発信器１０２１、複数の第２の受信器１０２２及び接続ユニット１１を含む。枠体１０は、第１の側辺１０１、第２の側辺１０２、第３の側辺１０３及び第４の側辺１０４を有する。複数の第１の発信器１０１１が第１の側辺１０１に設けられ、複数の第１の受信器１０１２が第３の側辺１０３に設けられることにより、水平面検出領域１０１３が画定される。複数の第２の発信器１０２１が第２の側辺１０２に設けられ、複数の第２の受信器１０２２が第４の側辺１０４に設けられることにより、垂直面検出領域１０２３が画定される。水平面検出領域１０１３及び垂直面検出領域１０２３により、３次元検出領域が画定される。【選択図】図４
0003177578.tif 000002
【実用新案登録請求の範囲】
【請求項１】
枠体、複数の第１の発信器、複数の第１の受信器、複数の第２の発信器、複数の第２の受信器及び接続ユニットを備えるタッチ制御装置であって、
前記枠体は、第１の側辺、第２の側辺、第３の側辺、第４の側辺を有し、前記第１の側辺は、前記第３の側辺と対向し、前記第１の側辺及び前記第３の側辺の両端は、前記第２の側辺及び前記第４の側辺とそれぞれ接続され、
前記複数の第１の発信器は、前記第１の側辺に設けられ、
前記複数の第１の受信器は、前記第３の側辺に設けられる上、前記複数の第１の発信器と対向して水平面検出領域を画定し、
前記複数の第２の発信器は、前記第２の側辺に設けられ、
前記複数の第２の受信器は、前記第４の側辺に設けられる上、前記複数の第２の発信器と対向して垂直面検出領域を画定し、
前記接続ユニットは、端部が前記複数の第１の発信器、前記複数の第２の発信器、前記複数の第１の受信器及び前記複数の第２の受信器と電気的に接続されることを特徴とするタッチ制御装置。
【請求項２】
前記複数の第１の発信器及び前記複数の第２の発信器は、光学方式により前記複数の第１の受信器及び前記複数の第２の受信器に信号を発信することを特徴とする請求項１に記載のタッチ制御装置。
【請求項３】
前記光学方式は、前記複数の第１の受信器及び前記複数の第２の受信器に赤外線信号を発信することを特徴とする請求項２に記載のタッチ制御装置。
【請求項４】
前記水平面検出領域及び前記垂直面検出領域は、３次元検出領域を画定することを特徴とする請求項１に記載のタッチ制御装置。
【請求項５】
前記接続ユニットは、挿入接続部を有し、前記挿入接続部は、ＵＳＢプラグ、ＩＥＥＥ１３９４プラグ、ＨＤＭＩプラグ又はＤＶプラグであることを特徴とする請求項１に記載のタッチ制御装置。
【請求項６】
前記複数の第１の発信器は、前記第１の側辺全体に設けられることを特徴とする請求項１に記載のタッチ制御装置。
【請求項７】
前記複数の第２の発信器は、前記第２の側辺全体に設けられることを特徴とする請求項１に記載のタッチ制御装置。
【請求項８】
前記複数の第１の受信器は、前記第３の側辺全体に設けられることを特徴とする請求項１に記載のタッチ制御装置。
【請求項９】
前記複数の第２の受信器は、前記第４の側辺全体に設けられることを特徴とする請求項１に記載のタッチ制御装置。
【考案の詳細な説明】
【技術分野】
【０００１】
本考案は、３次元検出領域を形成することができる上、タッチ操作を行う際、特に力を加える必要がないタッチ制御装置に関する。
【背景技術】
【０００２】
情報社会における人々の電子製品に対する信頼性は、日々増している。携帯電話、タブレット型コンピュータ、ＰＤＡ、スマートフォンなどのハンディタイプの電子製品は、人々の生活の至るところで見られる。これらのＩＴ製品は、更なる利便性及び小型化を実現する上、人間性を持たせるために、従来の鍵盤又はマウスなどの入力装置を使用するものから、タッチパネルを入力装置とするものが多くなっている。タッチパネルは、多種のフラットパネル型ディスプレイ上に装着することができる。タッチパネルにより、フラットパネル型ディスプレイは、画像を表示する機能と、操作情報を入力する機能と、を有することができる。
【０００３】
図１を参照する。図１は、従来のタッチ制御装置を示す平面図である。従来のタッチ制御装置は、基板を含む。基板は、複数の発信器１００及び複数の受信器１１０を有する。発信器１００及び受信器１１０は、基板の周囲に配置され、発信器１００と受信器１１０とが対向配置されることにより、赤外線方式のタッチ制御マトリクス構造が構成される。本構造の場合、赤外線ＬＥＤを有する発信器１００及び受信器１１０が大量に必要である。図２を参照する。図２に示す赤外線方式のタッチ制御装置は、１つの受信器１１０が複数の発信器１００から発信された赤外線を受信する。複数の発信器１００は、受信器１１０に順番に赤外線を発信し、受信器１１０が赤外線が切断されたか否かを識別する。図３を参照する。図３に示す赤外線方式のタッチ制御装置は、複数の受信器１１０及び１つの発信器１００により、複数の赤外線が形成される。上述の従来のタッチ制御装置は、何れも、赤外線により、ユーザの接触位置が検出される。しかし、上述の従来のタッチ制御装置は、何れも、水平面の検出領域しか形成することができず、３次元の検出領域を形成することができない。また、従来のタッチ制御装置は、タッチ操作を行う際、力を加える（指、スタイラスなどを使用する）必要があった。
【０００４】
本考案の考案者は、上述の問題及び欠点を解決するために、研究開発を行った。
【考案の概要】
【考案が解決しようとする課題】
【０００５】
本考案の主な目的は、３次元検出領域を形成することができるタッチ制御装置を提供することにある。
本考案のもう一つの目的は、タッチ操作を行う際、特に力を加える必要がないタッチ制御装置を提供することにある。
【課題を解決するための手段】
【０００６】
上述の課題を解決するために、本考案のタッチ制御装置は、枠体、複数の第１の発信器、複数の第１の受信器、複数の第２の発信器、複数の第２の受信器及び接続ユニットを含む。枠体は、第１の側辺、第２の側辺、第３の側辺及び第４の側辺を有する。第１の側辺は、第３の側辺と対向する。また、第１の側辺及び第３の側辺の両端は、第２の側辺及び第４の側辺とそれぞれ接続される。
【０００７】
複数の第１の発信器は、第１の側辺に設けられる。複数の第１の受信器は、第３の側辺に設けられる。複数の第１の発信器が複数の第１の受信器と対向することにより、水平面検出領域が画定される。
【０００８】
複数の第２の発信器は、第２の側辺に設けられる。複数の第２の受信器は、第４の側辺に設けられる。複数の第２の発信器が複数の第２の受信器と対向することにより、垂直面検出領域が画定される。
【０００９】
接続ユニットは、端部が複数の第１の発信器、複数の第２の発信器、複数の第１の受信器及び複数の第２の受信器と電気的に接続される。
【考案の効果】
【００１０】
本考案のタッチ制御装置は、第３の側辺に設けられる複数の第１の受信器が複数の第１の発信器と対向することにより、水平面検出領域が形成される。また、第４の側辺に設けられる複数の第２の受信器が複数の第２の発信器と対向することにより、垂直面検出領域が形成される。複数の第１の発信器及び複数の第２の発信器が光学方式により、複数の第１の受信器及び複数の第２の受信器に信号を発信することにより、前述の水平面検出領域及び垂直面検出領域が形成され、これにより、３次元検出領域が形成される。本考案のタッチ制御装置は、従来のタッチ制御装置のように、タッチ操作を行う際、特に力を加える必要がない。
【図面の簡単な説明】
【００１１】
【図１】従来のタッチ制御装置を示す平面図である。
【図２】従来のタッチ制御装置を示す平面図である。
【図３】従来のタッチ制御装置を示す平面図である。
【図４】本考案の一実施形態によるタッチ制御装置を示す斜視図である。
【図５】本考案の一実施形態によるタッチ制御装置を示す斜視図である。
【考案を実施するための形態】
【００１２】
本考案の目的、特徴および効果を示す実施形態を図面に沿って詳細に説明する。
【００１３】
図４及び図５を参照する。図４及び図５は、本考案の一実施形態によるタッチ制御装置を示す斜視図である。図４及び図５に示すように、本考案の一実施形態によるタッチ制御装置１は、枠体１０、複数の第１の発信器１０１１、複数の第１の受信器１０１２、複数の第２の発信器１０２１、複数の第２の受信器１０２２及び接続ユニット１１を含む。枠体１０は、第１の側辺１０１、第２の側辺１０２、第３の側辺１０３、第４の側辺１０４を有する。第１の側辺１０１は、第３の側辺１０３と対向する。また、第１の側辺１０１及び第３の側辺１０３の両端は、第２の側辺１０２及び第４の側辺１０４とそれぞれ接続される。
【００１４】
複数の第１の発信器１０１１は、第１の側辺１０１に設けられる。複数の第１の受信器１０１２は、第３の側辺１０３に設けられる。複数の第１の受信器１０１２が複数の第１の発信器１０１１と対向することにより、水平面検出領域１０１３が画定される。複数の第１の発信器１０１１は、第１の側辺１０１全体に設けられる。複数の第１の受信器１０１２は、第３の側辺１０３全体に設けられる。
【００１５】
複数の第２の発信器１０２１は、第２の側辺１０２に設けられる。複数の第２の受信器１０２２は、第４の側辺１０４に設けられる。複数の第２の受信器１０２２が複数の第２の発信器１０２１と対向することにより、垂直面検出領域１０２３が画定される。水平面検出領域１０１３及び垂直面検出領域１０２３により、３次元検出領域１０２４が形成される。複数の第２の発信器１０２１は、第２の側辺１０２全体に設けられる。複数の第２の受信器１０２２は、第４の側辺１０４全体に設けられる。
【００１６】
接続ユニット１１の端部は、複数の第１の発信器１０１１、複数の第２の発信器１０２１、複数の第１の受信器１０１２及び複数の第２の受信器１０２２と電気的に接続される。接続ユニット１１は、挿入接続部１１１を有する。挿入接続部１１１は、ＵＳＢプラグ、ＩＥＥＥ１３９４プラグ、ＨＤＭＩプラグ又はＤＶプラグである。
【００１７】
複数の第１の発信器１０１１及び複数の第２の発信器１０２１は、光学方式により、複数の第１の受信器１０１２及び複数の第２の受信器１０２２に信号を発信する。ここで、光学方式とは、複数の第１の受信器１０１２及び複数の第２の受信器１０２２に赤外線信号を発信することを指す。また、第３の側辺１０３に設けられる複数の第１の受信器１０１２が複数の第１の発信器１０１１と対向することにより、水平面検出領域１０１３が形成される。また、第４の側辺１０４に設けられる複数の第２の受信器１０２２が複数の第２の発信器１０２１と対向することにより、垂直面検出領域１０２３が形成される。また、複数の第１の発信器１０１１及び複数の第２の発信器１０２１が複数の第１の受信器１０１２及び複数の第２の受信器１０２２に信号を発信することによって形成される水平面検出領域１０１３及び垂直面検出領域１０２３により、３次元検出領域１０２４が形成される。３次元検出領域１０２４により、従来のタッチ制御装置のように、タッチ操作を行う際、特に力を加える必要がない。
【００１８】
以上の説明は、本考案の実施形態を示すものであり、本考案の実施範囲を限定するものではない。本考案の実用新案登録請求の範囲に基づく同等効果である変更、修飾などは、全て、本考案に含まれる。
【符号の説明】
【００１９】
１        タッチ制御装置
１０      枠体
１０１    第１の側辺
１０２    第２の側辺
１０３    第３の側辺
１０４    第４の側辺
１０１１  第１の発信器
１０１２  第１の受信器
１０１３  水平面検出領域
１０２１  第２の発信器
１０２２  第２の受信器
１０２３  垂直面検出領域
１０２４  ３次元検出領域
１１      接続ユニット
１１１    挿入接続部
１００    発信器
１１０    受信器
【図１】
0003177578.tif 000003
【図２】
0003177578.tif 000004
【図３】
0003177578.tif 000005
【図４】
0003177578.tif 000006
【図５】
0003177578.tif 000007